Podtech/llm-jp-corpus-v4-ja_patent huggingface dataset:
(57)【要約】      （修正有）【課題】室内の何処にでも置けるデコテーブルを提供する。【解決手段】デコテ−ブル上に穴を複数あけＬＥＤをはめこみ乾電池を電源としてデコテ−ブルの上に置かれた工芸品などにライトアップしてそれを眺めて楽しむ。【選択図】図１
0003114989.tif 000002
【実用新案登録請求の範囲】
【請求項１】
テ−ブル上に複数の穴をあけてＬＥＤを埋め込み乾電池を電源として上にのせた品物をライトアップさせるテ−ブル。
【考案の詳細な説明】
【技術分野】
【０００１】デコテ−ブルを製作するのに木工の職人，塗装職人等が集まって作り出されたものである。
【背景技術】
【０００２】今までにライトアップだけを目的とした室内に置くものわ無かった。従来はテ−ブルの外からのライトアップのみであった。又電源は一般の電力であつた。【０００３】室内の何処にでも置ける乾電池を使用したものはなかつた。
【考案が解決しょうとする課題】
【０００４】室内の何処にでも置ける様に製作する事を課題ととした。
【課題を解決するための手段】
【０００５】１電気コ−ドを必要としない又コンセントも必要としない商品にする事でどこにでも置くことを可能にする為乾電池を使用した。
２室内の何処にでも置くことが出来る様にする為に塗装に注意を特にした。
３又火災の危険を出来るだけ避けるため発熱の少ないＬＥＤを使用した。
【考案の効果】
【０００６】薄暗い部屋に置くことによつて部屋の照明にもなると同時にその上に置かれた自分の製作した品物を眺めているだけで心が癒され満足感が味わえる。
【考案を実施するための最良の形態】
【０００７】図１は下駄箱の上に置かれたデコテ−ブルである。コ−ドもコンセントも不要な為配線も不要であるしたがつてどのような所にでも置くことが可能になつてくる。又上に乗せる品物を自由に変えてもよい。
【実施例】
【０００８】１廊下の薄暗い所
２下駄箱の上
３床の間
【符号の説明】
図１下駄箱の上に置かれた状態  図２上面から見た状態  図３裏面から見た状態
１木材  ２ＬＥＤ  ３化粧リング  ４乾電池  ５抵抗  ６スイッチ  ７乾電池ケース
８木製の足
【図１】
0003114989.tif 000003
【図２】
0003114989.tif 000004
【手続補正書】
【提出日】平成17年8月2日(2005.8.2)
【手続補正１】
【補正対象書類名】明細書
【補正対象項目名】全文
【補正方法】変更
【補正の内容】
【考案の詳細な説明】
【技術の分野】
【０００１】デコテ−ブルを製作するのに木工の職人、塗装職人等が集まって作り出されたものである。
【背景の技術】
【０００２】今までにライトアップだけを目的とした室内に置くものわ無かった。従来はテ−ブルの外からのライトアップのみであった。又電源は一般の電力であつた。
【０００３】室内の何処にでも置ける乾電池を使用したものはなかつた。
【考案が解決しょうとする課題】
【０００４】室内の何処にでも置ける様に製作する事を課題ととした。
【課題を解決するための手段】
【０００５】１電気コ−ドを必要としない又コンセントも必要としない商品にする事でどにでも置くことを可能にする為乾電池を使用した。
２室内の何処にでも置くことが出来る様にする為に塗装に注意を特にした。
３又火災の危険を出来るだけ避けるため発熱の少ないＬＥＤを使用した。
【考案の効果】
【０００６】薄暗い部屋に置くことによつて部屋の照明にもなると同時にその上に置かれた自分の製作した品物を眺めているだけで心が癒され満足感が味わえる。
【考案を実施するための最良の形態】
【０００７】図１は下駄箱の上に置かれたデコテーブルである。コ−ドもコンセントも不要な為配線も不要であるしたがつてどのような所にでも置くことが可能になつてくる。又上に乗せる品物を自由に変え手もよい。
【実施例】
【０００８】１廊下の薄暗い所
２下駄箱の上
３床の間
【図面の簡単な説明】
【０００９】
【図１】下駄箱の上に置かれた状態
【図２】テ−ブルの上から見た状態
【図３】テ−ブルの裏面からみた状態
【符号の説明】
【００１０】  １木材  ２ＬＥＤ  ３化粧リング  ４乾電池  ５抵抗  ６スイッチ  ７乾電池ケ−ス  ８木製の足
【手続補正２】
【補正対象書類名】図面
【補正対象項目名】図１
【補正方法】変更
【補正の内容】
【図１】
0003114989.tif 000005
【手続補正３】
【補正対象書類名】図面
【補正対象項目名】図２
【補正方法】変更
【補正の内容】
【図２】
0003114989.tif 000006
【手続補正４】
【補正対象書類名】図面
【補正対象項目名】図３
【補正方法】変更
【補正の内容】
【図３】
0003114989.tif 000007
(57)【要約】      （修正有）【課題】配付しやすく外観的にも見栄えのよい形状に折りたたまれた販売促進等無料配付用の家庭ごみ排出用ごみ袋を提供する。【解決手段】半透明ポリエチレン製のガセットを有するごみ袋を縦方向に二つ折りにし、この二つ折りにしたごみ袋を横方向に三つ折りにし、この三つ折りにしたごみ袋を縦方向に三つ折りにする。【選択図】図２
0003114988.tif 000002
【実用新案登録請求の範囲】
【請求項１】
半透明ポリエチレン製のガセットを有するごみ袋を縦方向に二つ折りにし、この二つ折りにしたごみ袋を横方向に三つ折りにし、この三つ折りにしたごみ袋を縦方向に三つ折りにしてなる販売促進等無料配付用の家庭ごみ排出用ごみ袋。
【考案の詳細な説明】
【技術分野】
【０００１】  本考案は、折りたたんで、販売促進等無料配付用の形状とした家庭ごみ排出用のごみ袋に関する。
【背景技術】
【０００２】  従来の販売促進等無料配付用の家庭ごみ排出用ごみ袋には、二つ折りあるいは四つ折りにした後、ポリプロピレン製外袋等でパック包装したものがある。
【考案の開示】
【考案が解決しようとする課題】
【０００３】  上述の従来の販売促進等無料配付用の家庭ごみ排出用ごみ袋では、折りたたんではいても手のひらサイズよりも相当大きいため街頭等での配付において扱いづらいものであった。【０００４】  本考案は、このような従来の有していた問題を解決しようとするものであり、配付しやすく外観的にも見栄えのよい形状に折りたたまれた販売促進等無料配付用の家庭ごみ排出用ごみ袋を実現することを目的とするものである。
【課題を解決するための手段】
【０００５】  本考案は上記目的を達成するために、半透明ポリエチレン製のガセットを有するごみ袋を縦方向に二つ折りにし、この二つ折りにしたごみ袋を横方向に三つ折りにし、この三つ折りにしたごみ袋を縦方向に三つ折りにしてなるものである。
【考案の効果】
【０００６】  本考案の効果は以下の通りである。すなわち、前記のごみ袋は手のひらサイズ大に折りたたまれるので、配付しやすく、外観的にも見栄えのよい販売促進等無料配付用の家庭ごみ排出用ごみ袋の形状を備えることができる。【０００７】  さらに、折りたたんだごみ袋の開口部へ公告チラシ等を差し込めるので、その文言が半透明のごみ袋の外面から透けて見える。【０００８】  また、ごみ袋に、直接、公告あるいは広報、啓蒙文言等を印刷し、折りたたんだ後の外面に表示させることができる。
【考案を実施するための最良の形態】
【０００９】  本考案を実施するための最良の形態を以下の通り説明する。ごみ袋は国内各自治体で指定あるいは認定されているものであればどれでも折りたたみは可能であるが、ガセットを有する小型サイズのものを使用すると手のひらサイズ大にするための折り畳み回数を少なくできる。【００１０】  また、公告あるいは広報、啓蒙文言等を印刷する場合は、折りたたんだ後の外面に表示させるため実施例に示すような所定の位置に印刷を施すのが望ましい。
【実施例】
【００１１】  考案の実施例を図面に基づいて説明する。
図１において、ごみ袋１はガセット２を有し、袋状に形成された厚み０．０３０ｍｍ程度の半透明ポリエチレン製である。そして中央部に自治体認定のごみ袋であることが印刷されている。また、ごみ袋の下半分の中央に、袋寸法の縦１／６、横１／３の範囲内で公告あるいは広報、啓蒙文言等を印刷するが、本実施例では自治体の啓蒙文言を印刷している。【００１２】図２（ａ）（ｂ）（ｃ）は、ごみ袋１を折りたたむ行程を示すもので、この折りたたみ行程は、
（イ）第一行程（図２（ａ））：図２のごみ袋１を縦方向に二つ折りにする行程、
（ロ）第二行程（図２（ｂ））：図２（ａ）のように二つ折りにしたごみ袋をガセット内側端部３に沿って横方向に三つ折りにする行程、
（ハ）第三行程（図２（ｃ））：図２（ｂ）のように三つ折りにしたごみ袋を縦方向に三つ折りにする行程からなる。【００１３】  図３は、図２（ｃ）のように折りたたまれたごみ袋１ａに、公告チラシを折りたたんだごみ袋の開口部へ差し込んだものである。また、この場合、輪ゴムを掛けてもよい。
【産業上の利用可能性】
【００１４】  上述したように本考案の販売促進等無料配付用の家庭ごみ排出用ごみ袋は、手のひらサイズ大に折りたたまれているので、配付しやすく、外観的にも見栄えのよい販売促進等のツールとして提供できる。また、パック包装をしないので省資源に適う。【００１５】  さらに、折りたたんだごみ袋の開口部へ公告チラシ等を差し込めるので、文言が半透明のごみ袋の外面から透けて見える。また、ごみ袋に、直接、公告あるいは広報、啓蒙文言等を印刷し、折りたたんだ後の外面に表示させることができる。
【図面の簡単な説明】
【００１６】
【図１】  ガセットを有するごみ袋の外観図である。
【図２】  ガセットを有するごみ袋の折りたたみ行程を示す図である。
【図３】  折りたたまれたごみ袋にチラシを差し込んだ図である。
【符号の説明】
【００１７】  １    ごみ袋
１ａ  折りたたまれたごみ袋
２    ガセット
３    ガセット内側端部
４    チラシ
【図１】
0003114988.tif 000003
【図２】
0003114988.tif 000004
【図３】
0003114988.tif 000005
(57)【要約】【課題】  波動エネルギーと磁力線を利用することにより、人体の美容、保健及び工業、農産業面に効果ある装置を提供する。【解決手段】  波動エネルギーを放出するピラミットの内部に磁石を設けることにより磁力線も同時に放出するピラミットを複数配列し、そのピラミット上に水容器を設置することにより、水容器内の水を活性、磁化し、この改質水にて所期の目的を達成する。【選択図】    図２
0003114983.tif 000002
【実用新案登録請求の範囲】
【請求項１】
上部より波動エネルギー及び磁力線を放出するピラミットを縦横に配置してなる、ピラミット群の上に水を収納する水容器を設置してなることを特徴とする水質の活性磁化装置。
【請求項２】
請求項１記載の水質の活性磁化装置において、水容器に磁性容器蓋を設けることにより水容器の収量増加を可能にしたことを特徴とした水質の活性磁化装置。
【考案の詳細な説明】
【技術分野】
【０００１】  本考案は、人体の美容及び健康向上のため、又種々の工業面に使用するための、清水の改質装置に関するものである。
【背景技術】
【０００２】  従来において植物水として広く一般に使用されていたものとして、へちまの茎より採取したものが天然化粧水として著名である、又地下水も含有する物質によって保健用として飲用されているものがある。
化粧水及び保健水製造メーカーの販売品は、清水に薬品を添加したものであって、多種多様なものが、存在している。
【特許文献】  特開平１０−１３５０３１  特開平９−１９１９５８
【非特許文献】  ピラミット、パロー  １９９３、３  二見書房発行  磁石で水が蘇る  １９９９、５  ＡＢＣ出版発行
【考案の開示】
【考案が解決しようとする課題】
【０００３】  本考案は、清水に何等の添加物も混入せず、波動エネルギーと磁性を利用することにより清水を活性化、磁性化し、美容上に効果を有する洗顔水、及び人体の保健に効能と、工業面に効果を有する改質水を堤供することを課題とする。
【課題を解決するための手段】
【０００４】  本考案は上記問題点を解決するためになされたものであって、波動エネルギーの発生源としては、公知技術であるピラミット形のものを利用し、このピラミットの内部に磁石を設け磁力線をピラミット上方に放出させる。
このように磁石を内部に設けたピラミットを多数縦横に並べ、その上に非磁性の物質で作られた水容器を設置し、水容器内に入れらたる清水を活性化、磁性化することを特徴とする、更に磁性を効率化するために、鉄又は磁石を使用した水容器の蓋を作る。
【考案の効果】
【０００５】  本案の、水質の活性磁化装置により改質された清水にて洗顔すれば、顔面の皮膚を美麗にする効果があり、特に白毛髪の人が本案水にて頭部を洗えばを黒毛髪に変化する、又飲用すれば血液中のコステルロールを低下させ、高血圧の人の血圧を低下させる、その他色々な面に治療効果が発生する。
本案の改質水は、植物栽培用として、特に農産物の栽培に利用すれば収穫量が大きく増加し、又味、質の良いものができる。
工業面の利用としては、セメントの練りに使用すると強固なコンクリートができる、又紙の製造に使用すると、良質の紙が製造できる、以上以外にも、利用面は種々多方面にあるが、その記載は長大なるため省略する。
【考案を実施するための最良の形態】
【０００６】  内部に磁石を設けたピラミット形のものを縦横に、適当数配置し、そのピラミット群の上に清水を入れる容器を設置する。
水容器の深さは、磁力の及ぶ範囲内でなければならないため、深さは磁石の個数と強さによって決定される。
水容器には蓋は無くとも使用し得るが、鉄製の蓋又は磁石を設けた蓋を使用せば、磁力の到達距離を増大するため水容器の深さを深くすることができ、且つ塵埃の入ることも防止できる。
【実施例】
【０００７】  以下本考案を図面に基づき詳細に説明する、図１は本案水質の活性磁化装置の、波動エネルギー６を発生させるピラミット１の正面断面図である、ピラミット１の先端より放出する波動エネルギー６の発生についての理論はまだ確立していないが、放射状況を写真撮影することは実施され、その放射は確認されている。
波動エネルギー６による、人体に及ぼす健康、治療効果は色々な事例が報告され実証されている。
又波動エネルギー６は工業面及び農産業面にも効果のあるものであるが、本案はピラミット１の内部上方に磁石２を設け、その磁力線をピラミット１の上部より放出させる。【０００８】  本案水質の活性磁化装置は、ピラミット１の上先端部より放出される波動エネルギー６及び磁石２の磁力線を利用して水を活性化し、磁化するものであるため、ピラミット１の上に水容器３を設ける、図２は、ピラミット１を複数、配列したものの上に水容器３を、設けた正面断面図である。
水容器３は非磁性の材質にて作られており、例えばアルミニュウム、銅、ガラス、樹脂等が好適な材質である、ステンレスの場合にても非磁性のものであれば使用可能である。
磁石２を内部に設けたビラミット１を縦横に複数配置し、その上に水容器３を設け、水容器３の中に清水４を入れると、清水４はピラミット１の上先端部より放出される、波動エネルギー６及び磁力線により活性化、磁化される、この場合の波動エネルギー６及び磁力線の到達距離は短いものであるため、当然、水容器３の深さは浅くなり水容量は僅少なものになる。
そこで水容器３の深さを深くする手段として、磁性を有する容器蓋５にて水容器３の上面を覆えば磁力線の到達距離は増大し、その目的を達することができる、容器蓋５は鉄板製にても良く、又その容器蓋５に磁石を装着せば水容器３の深さを一層増大させることができる。
水容器３にて改質した清水４は人体の美容、美顔に効果があり、特に洗髪に使用すれば頭髪を黒くする効果が発生する、又本案清水４は、セメント練りに使用せば強固なコンクリートができ、製紙に利用せば良質の紙が製造できる、農産物の栽培にも清水４を使用せば味のよい物ができ且つ収穫も２０％増加の実績が得られた。
本考案は、このような実施例に何等限定されるものでなく、本考案の要旨を逸脱しない範囲において種々なる対応にて実施し得るは勿論である。
【産業上の利用可能性】
【０００９】  本考案装置により改質された清水４は、従来の水使用分野の全てにおいて、顕著なる効果を発揮するため、あらゆる方面に利用し得るものである、又水に添加物を使用しないため安全にて使用でき、費用も要し無いため産業上の利用範囲は極めて広大なものがある。
【図面の簡単な説明】
【００１０】  図１は、本考案の水質の活性磁化装置にあって、ピラミット１の部分の、内部を示す、正面断面図である。
図２は、本考案の水質の活性磁化装置の全体図でにあって、水容器４及び容器蓋５の部分のみを断面にした正面図である。
【符号の説明】
【００１１】１  ピラミット
２  磁石
３  水容器
４  清水
５  容器蓋
６  波動エネルギ−
【図１】
0003114983.tif 000003
【図２】
0003114983.tif 000004
(57)【要約】      （修正有）【課題】タートルセーターの首部分の伸び、形崩れの寿命を極力引き伸ばすと共に、而もその伸び、形崩れ初期状態では目立たないようにすること。【解決手段】タートルセーターの首部の折返部が立った状態で巻きつけると共に、その折返部を折り返して隠蔽される伸縮性を有するバンド本体より成したタートルセーターの首部の保形バンド。【選択図】図１
0003114985.tif 000002
【実用新案登録請求の範囲】
【請求項１】
タートルセーターの首部の折返部が立った状態で巻きつけると共に、両端に設けた面ファスナーにて相互に結び付けられると共に、その折返部を折り返して隠蔽される伸縮性を有するバンド本体より成したことを特徴としたタートルセーターの首部の保形バンド。
【請求項２】
タートルセーターの首部の折返部が立った状態で頭部より挿通し、その折返部を折り返して隠蔽される伸縮性を有する無端リング状バンド本体より成したことを特徴としたタートルセーターの首部の保形バンド。
【考案の詳細な説明】
【技術分野】
【０００１】  本考案はタートルセーターを長期間着用することによって生じる首部分の伸び、形崩れの寿命を極力引き伸ばすと共に、而もその伸び、形崩れ初期状態では目立たないようにしたものに関する。
【背景技術】
【０００２】  今日の社会は、あらゆる商品が市場に豊富に提供されていることから、ファッション界においても実用的、機能的観点から外観、即ち感性をより重視する傾向が強くなっている。
従って、衣料品においても例外ではなく、未だ実用的、機能的に充足していても、外観、即ち形崩れによって外出用としては着用せず、破棄してしまうものがある。
特に、タートルセーターは頭から被るため首部が伸び易く、他の衣料に比し形崩れが早い。
【考案の開示】
【考案が解決しようとする課題】
【０００３】  本考案は、タートルセーターの首部分の伸び、形崩れの寿命を極力引き伸ばすと共に、而もその伸び、形崩れ初期状態では目立たないようにした。
【考案を解決するための手段】
【０００４】  以上の課題を解決するために本考案は、タートルセーターの首部の折返部が立った状態で巻きつけると共に、その折返部を折り返して隠蔽される伸縮性を有するバンド本体より成すことによって、タートルセーターの首部分の伸び、形崩れの寿命を極力引き伸ばすと共に、而もその伸び、形崩れ初期状態では目立たないようにしたタートルセーターの首部の保形バンド。
【考案の効果】
【０００５】（１）請求項１により、タートルセーターの首部に巻き付けたバンドにて、常いその首部分の形状を保持し、従って首部の伸び、形崩れを引き伸ばすと共に、而も伸び、形崩れの初期状においても現状を維持し、外出時にも目立たない。また、面ファスナーにてバンドの締め具合は調整できるから、夫々の首の太さにも対応出来る。
（２）請求項１により、タートルセーターの首部に巻き付けたバンドにて、常いその首部分の形状を保持するト共に、而も無端のリング状になっているから、繋ぎ部分が無いので、違和感がない。
【考案を実施するための最良の形態】
【０００６】  以下本考案の実施形態を示す図面に基づいて説明する。
図１は、タートルセーター１の正面図であって、折返部２の内側に保形バンド本体３が存在している。而して、このバンド本体３は不織布、編組布等の適宜伸縮性を有す．繊維にて作られている。勿論、伸縮性を高めるためゴム糸を混成させてもよい。
図２はタートルセーターの首部の折返部２が立った状態で、バンド本体３を巻きつけている。
図３は、図２の背面図で両端３ａ、３ｂに設けた面ファスナー４、５にて相互に結び付けている。その後、図１に示す如く折返部２を折り返してバンド本体３を隠蔽する。【０００７】  尚、図４に示す如く、バンド本体３の長さを調整できる様、一方端３ｂに別途の面ファスナー５ａを設けてもよい。
図５はバンド本体３を無端のリング状としており、繋ぎ部分が無いので、違和感がなく、又バンド本体３の径もその首周りに対応できる。
【図面の簡単な説明】
【０００８】
【図１】タートルセーターの正面図
【図２】折返部が立った状態で、バンド本体を巻きつけた正面図
【図３】同上の背面図
【図４】バンド本体の拡大図
【図５】バンド本体の異なる実施例を示す拡大斜視図
【符号の説明】
１  タートルセーター１
２  折返部
３  バンド本体
４、５  面ファスナー
【図１】
0003114985.tif 000003
【図２】
0003114985.tif 000004
【図３】
0003114985.tif 000005
【図４】
0003114985.tif 000006
【図５】
0003114985.tif 000007
(57)【要約】      （修正有）【課題】本考案は、金属製のフックのような付属品を使用しなくても、バッグや袋物を吊り下げることができ、また洋服が引っ掛かるとか、身体を傷付けることのない椅子を提供する。【解決手段】脚体Ａに座部４を取り付け、脚体より座部の後側上方に伸びた左右の背凭れ杆２の前面に背凭れ５を固定した椅子において、前記左右の背凭れ杆の上端に切欠き部３を設け、該切欠き部と背凭れの背面とにより、上向きに開口した持ち物吊り下げ部Ｂを形成する。【選択図】図１
0003114910.tif 000002
【実用新案登録請求の範囲】
【請求項１】
脚体に座部を取り付け、脚体より座部の後側上方に伸びた左右の背凭れ杆の前面に背凭れを固定した椅子において、前記左右の背凭れ杆の上端に切欠き部を設け、該切欠き部と背凭れの背面とにより、上向きに開口した持ち物吊り下げ部を形成したことを特徴とする椅子。
【考案の詳細な説明】
【技術分野】
【０００１】
本考案は、バッグ、袋物等を吊り下げることができる椅子に関するものである。
【背景技術】
【０００２】
背凭れの背面に、バッグや袋物を吊るすためのＵ字形の金属製のフックを固定した椅子が公知である。この椅子は、金属製のフックが後方に突出するため、椅子の後側を通過する際に、このフックが邪魔になることがあり、特に子供の場合は、突出したフックにより洋服を引き裂いたり、身体を傷付けたりする虞がある。またスタッキング式の椅子の場合は、このフックが邪魔になり、スタッキングができなくなるという問題を生ずる。
【特許文献１】登録実用新案第３０３３７１５号公報
【考案の開示】
【考案が解決しようとする課題】
【０００３】
本考案は、フックのような付属品を使用しなくても、バッグや袋物を吊り下げることができ、また椅子の後側へ突出をなくして、洋服を損傷するとか身体を傷付けたりすることのない椅子を提供しようとするものである。
【課題を解決するための手段】
【０００４】
上記の目的を達成するために、請求項１の考案は、脚体に座部を取り付け、脚体より座部の後側上方に伸びた左右の背凭れ杆の前面に背凭れを固定した椅子において、前記左右の背凭れ杆の上端に切欠き部を設け、該切欠き部と背凭れの背面とにより、上向きに開口した持ち物吊り下げ部を形成したことを特徴としている。
【０００５】
この請求項の椅子は、左右の背凭れ杆の切欠き部と背凭れの背面とにより形成された左右の持ち物用吊り下げ部の片方又は両方に、バッグの把手や袋物の結び目を引っ掛けて吊り下げを行う。また持ち物吊り下げ部は、上向きに開口していて後側に突出していないので、洋服等が引っ掛かることがなく、スタッキングも可能である。
【考案の効果】
【０００６】
本考案における持ち物吊り下げ部は、左右一対で構成されているため、小さな荷物はその一方の吊り下げ部を、大きな荷物は両方の吊り下げ部を用いて容易に吊り下げ、保持することができる。また持ち物吊り下げ部は、上端を切り欠いた背凭れ杆に背凭れを固定するだけで形成することができるので、従来の椅子と同一原価で製作できる。しかも椅子の後側への突出がないので、衣服を引っ掛けたり、身体が当たって傷付いたりする心配がない。従って、本考案の椅子は、子供用の椅子としても、スタッキング式の椅子としても最適である。
【考案を実施するための最良の形態】
【０００７】
以下、図１及び図２を参照して、請求項１の考案の実施形態を詳述する。図１は椅子の斜視図であり、図２は同上椅子の要部を示す縦断面図である。
【０００８】
図中の符号Ａは、幼稚園とか小学校で使用する椅子の脚体であり、脚体Ａにおける左右の後脚１を上方へ延長して左右一対の背凭れ杆２を形成している。この背凭れ杆２の上端前側には切欠き部３を設けている。符号４は脚体Ａ上に固定した座部であり、符号５は左右の背凭れ杆２の前面に左右両側部を固定した背凭れである。符号Ｂは切欠き部３と背凭れ５の背面とにより形成した持ち物吊り下げ部であり、上向きに開口している。尚、符号６はバッグである。
【０００９】
図１に鎖線で示すように、左右の持ち物吊り下げ部Ｂにバッグ６の肩ベルトを掛け渡すとか、片方の持ち物吊り下げ部Ｂに袋物の結び目を掛けることにより、椅子の背部にバッグ６や袋物を確実に保持することができるのである。
【００１０】
次に、図３を参照して別の実施形態を詳述する。この場合も幼稚園とか小学校で使用する椅子であり、符号Ａは脚体である。この脚体Ａは逆Ｕ字形の左右の脚部１１と、脚部１１，１１間に嵌着した座枠１２とよりなり、この座枠１２の後端を上方へ延長して左右一対の背凭れ杆１３を形成している。この背凭れ杆１３の上端前側には切欠き部１４を設けている。符号１５は脚体Ａの座枠１２上に固定した座部であり、符号１６は左右の背凭れ杆１３の前面に左右両側部を固定した背凭れである。符号Ｂは切欠き部１４と背凭れ１６の背面とにより形成した持ち物吊り下げ部であり、上向きに開口している。
【００１１】
この実施形態にあっても、前記実施形態の場合と同様に、左右の持ち物吊り下げ部Ｂにバッグ６の肩ベルトを掛け渡すとか、片方の持ち物吊り下げ部Ｂに袋物の結び目を掛けることにより、椅子の背部にバッグや袋物を容易に、且つ確実に吊り下げることができるのである。
【図面の簡単な説明】
【００１２】
【図１】本考案の実施形態を示す椅子の斜視図である。
【図２】同上椅子の要部を示す縦断面図である。
【図３】本考案の別の実施形態を示す椅子の一部切欠き斜視図である。
【符号の説明】
【００１３】
Ａ      脚  体
Ｂ      持ち物吊り下げ部
１      後  脚
２      背凭れ杆
３      切欠き部
４      座  部
５      背凭れ
６      バッグ
１１    脚  部
１２    座  枠
１３    背凭れ
１４    切欠き部
１５    座  部
１６    背凭れ
【図１】
0003114910.tif 000003
【図２】
0003114910.tif 000004
【図３】
0003114910.tif 000005
(57)【要約】      （修正有）【課題】肩こりの要因となっている前かがみ紐ずれ防止を目的とするブラジャーの背紐を提供する。【解決手段】背あきブラジャー本体の両肩紐の背側に一本の収縮性紐状部材を背紐として通し一体化することで無理なく姿勢を矯正し且つ複数の紐を通し、調整可能な接続具を採用し、取り外しの出来るブラジャーの背紐。【選択図】図１
0003114995.tif 000002
【実用新案登録請求の範囲】
【請求項１】
伸縮性部材で成る帯状体を、肩に掛ける左右の肩紐の背紐の背側において、該肩紐を通す穴と、この孔に直交する穴を有する接続具に通して両端側を固定するブラジャーの背紐。
【考案の詳細な説明】
【技術分野】
【０００１】  本考案はブラジャーの背紐に関するものである。
【背景技術】
【０００２】  一般にブラジャーの紐には、前後に掛け渡した肩紐や肩紐を背中側で交差したもの、本体と一体化した筋肉を正常位置に引き戻す矯正効果のあるもの、肩紐のずれ落ち防止具などがある。
【特許文献１】特開２００４−５２１２３号公報
【実用新案文献１】
実用新案３０９１７８９号公報
【実用新案文献２】
実用新案３０９９０１４号公報
【０００３】  上述のような従来の技術では、なで肩、片方の肩下がり、前かがみなどで着用者に適してないなどに起因して、ずれ落ち、圧迫感など肩こりの要因になることもある。
【考案の開示】
【考案が解決しようとする課題】
【０００４】  本件は肩こりの要因となっている前かがみの姿勢と紐ずれ防止を目的とする。
【課題を解決するための手段】
【０００５】  本考案は上記課題に鑑みされたものであり、フィット性のある一本の伸縮性紐状部材をブラジャー左右の肩紐の背側に背紐を通し、縫着固定し一体化したことを特徴としたブラジャーの背紐としている。
【考案の効果】
【０００６】  本考案の一体化のブラジャーで姿勢を正した時、両肩紐を背紐が引っ張り前かがみを正し、両肩が背方向に向き、紐ずれによる不快感をなくすことが出来る。【０００７】  上述の様に背紐が肩紐を引っ張る時、本体と背紐が背を支え、前下がりの肩が後背方向に向き、肩紐のくい込みが押さえられ肩こりが楽になる思わぬ効果がある。【０００８】  また、肩が背方向を向くことで胸が張り背柱が伸び、肩紐両脇が体にぴったりと合い、縫着し安定した背紐と本体との背の支えで相乗効果が働き、腰を伸ばそうとする意識が無理なく姿勢を正し、長時間楽に装着出来る。
【考案を実施するための最良の形態】
【０００９】  本考案はブラジャーと背紐との一対感化で体になじみやすい伸縮性紐状部材を採用した左右の背側肩紐に背紐を通し、縫着固定し、一体化したブラジャーを様式とするものである。【００１０】  前記背紐に設けるヨコタテ複数の紐を通し固定し、調整の出来る接続具を採用し、体型や着用者の条件に合わせて調整し、取り外しの出来るブラジャーの背紐。
以下、添付図面に従って本考案の実施態様を説明する。
図１はブラジャー本体１、左右の肩紐２に背紐３に接続具４を取りつけ、一体化したブラジャーの背紐１、３。
図２は耐久性のプラスチックなど、適宜素材にて形成された接続具４。
左側背紐３を２つに折り、左側を輪にし２本を重ね、水平接続具４−２の穴に横紐を通し、右側背紐分３を残し、止め具５を通し止める。
右側背紐３に止め具５を通し、水平接続具４−２の穴に横紐を通し、裏に返して穴に通し、止め具５を通し止める。
左直行接続具４−１の穴に肩紐２を通す。
右直行接続具４−１の穴に肩紐２を通し、上下固定左右の調整が出来る。【００１１】  図３は耐久性のプラスチックなど適宜素材にて形成された接続具４。
左側背紐３を２つに折り、左側を輪にして２本重ね、水平接続具４’−２の穴に横紐を通し、右側背紐分３を残し、止め具５を通し止める。
右側背紐３に止め具５を通し、水平接続具４’−２の穴に横紐を通し、裏に返して穴に通し、止め具５を通し止める。
左直行接続具４’−１穴に肩紐２を通す。
右直行接続具に４’−１穴に肩紐２を通し、上下固定左右の調整が出来る。【００１２】  本考案の実施例は、上述の如き構成からなるものであるからブラジャーの背紐接続具としては勿論であるが伸縮性部材の肩紐を採用することで背紐接続具共に他用に供することができる。
【図面の簡単な説明】
【００１３】
【図１】背紐の使用状態図
【図２】背紐固定実施例外観を示す図
【図３】他の実施例外観図
【符号の説明】
【００１４】１．ブラジャー本体
２．肩紐
３．背紐幅１２ｍｍ
４．接続具
５．止め具
【図１】
0003114995.tif 000003
【図２】
0003114995.tif 000004
【図３】
0003114995.tif 000005
(57)【要約】      （修正有）【課題】パソコンマウスを扱う時間が長く経ちますと、頭の疲れ、目の疲れ、肩こり等の身体全体の疲労が溜りますので、手のひらに存在するつぼを刺激することにより疲労を和らげる効果を目的にしたパソコン快適グローブの提供。【解決手段】グローブ内面に凸部群を付けることにより、手のひらに分布している反射体を刺激すること、特に５本の指先はら、各指の付け根、小指付け根下部ふくらみ、親指付け根下部ふくらみ部分が有効で、身体のエネルギー代謝を活性化させ、凸部群は極小半球状でアルミ製を使用しますと体に有効なイオン効果を発します。また、手首部分に極小ビーズ封入した枕状のものをグローブと一体化すると、手首と腕が水平になり、手の甲側にある筋が疲れず、マウスを操作しやすくなる。【選択図】図１
0003114997.tif 000002
【実用新案登録請求の範囲】
【請求項１】
パソコンマウスを使用するグローブとして、当該グローブ内面側に高い密度の極小凸部群を設け、その範囲は手のひらに分布している反射帯に接する部分に設けるとともに、当該グローブ手のひら側手首部分に極小ビーズを封入し、枕状態にしたところを特徴とするパソコン用グローブ。
【考案の詳細な説明】
【技術分野】
【０００１】  本考案は、グローブ内面に高い密度の極小凸部群と手首部分に極小ビーズ封入した枕状のものを設けた、グローブに関するものである。
【背景技術】
【０００２】  パソコン操作するマウスを長時間使用する場合、多数の人が肩こり、目の疲れ、手の疲れ等が身体全体に現われ、精神的にも悪い影響を与えている。
【考案の開示】
【考案が解決しようとする課題】
【０００３】  パソコンの使用は会社の仕事、一般家庭内でも使用しなくてはならない社会であり、身体の疲れ、精神的な疲れ、使用者にいろんなの負担を与えます。従って、手のひらを刺激したり、手首を楽にする方法で、前述の欠点を解決するものである。
【課題を解決するための手段】
【０００４】  本考案はグローブ内面に凸部群を付けることにより、手のひらに分布している反射体を刺激すること、また、手首部分に枕状のものを付けることにより、手首と腕が水平になり、マウスを操作しやすくなる。
【考案の効果】
【０００５】  上述の様に、本考案のパソコン快適グローブは内面極小凸部群により、手のひらに弱い刺激を与えて、身体のエネルギー代謝を活性化させ、凸部はアルミ製を使用しますと体に有効なイオンを発します。しかもグローブ手首に枕を内蔵している為、手首と腕が折れ曲がらないので、手の甲側にある筋が疲れない。
【考案を実施するための最良の形態】
【０００６】  グローブ内面側を使用することであり、極小凸部群を最も効果的な所に配置する。５本の指先はら、各指の付け根、小指付け根下部ふくらみ、親指付け根下部ふくらみ部分に接し、手全体をグローブに装着すれば、その部分に刺激が伝わる様、手の甲側に伸縮性を備えたメッシュ織りとし、手首は雄雌マジックファスナーを有する内ベルトと外ベルトにより緩みやズレをなくし、締め付けの強弱を調節可能とした。
【実施例】
【０００７】  以下、添付図面に従って一実施例を説明する。１は肌にフィットしやすい、クロス、又はレザー等適宣素材にて手のひら側をカバーし、２はしっかりと装着する為に伸縮性があるメッシュ編みした素材で１の部分とほつれない様溶着する。５は１の肌に接する面、すなわち、身体に有効な刺激を与える範囲に溶着した、アルミ製極小凸部群である。３は枕部４をずれないよう固定するとともに、手袋全体を留める役目である。
【産業上の利用可能性】
【０００８】  本考案の一実施例は上述の構成からなるものであるから、グローブ本来としての使用目的から、多種多様な作業に役立つことは無論であるが、アルミ極小凸部群５からの刺激により、身体の活性化を促すことになります。
【図面の簡単な説明】
【０００９】
【図１】本考案のパソコン快適グローブの一実施例を示す立面図である。
【図２】本グローブの平面図である。
【符号の説明】
【００１０】１  グローブ本体の手のひら側
２  手の甲側メッシュ編み部
３  内＆外ベルトマジックファスナー付
４  ビーズ入り枕部
５  極小凸部群
【図１】
0003114997.tif 000003
【図２】
0003114997.tif 000004
(57)【要約】【目的】乳棒を用いて乳鉢内の試料を擂り潰す作業に要する時間を短縮すると共に肉体的労力の軽減を図る。【構成】乳鉢の内周面全体またはその一部に深さ０．２ミリ以下、幅０．１ミリ以下の微細な凹凸の溝を縦に付けることにより、乳棒を用いた擂り潰し作業を効率良く行えるようにした。【選択図】図１
0003114998.tif 000002
【実用新案登録請求の範囲】
【請求項１】
内周面全体またはその一部に深さ０．２ミリ以下、幅０．１ミリ以下の微細な凹凸の溝を縦に付けたことを特徴とする乳鉢。
【考案の詳細な説明】
【技術分野】
【０００１】  本考案は、乳棒で試料を混合し且つ擂り潰して粉砕するために用いる乳鉢に関する。
【背景技術】
【０００２】  従来の乳鉢では、内周面を艶だし加工されていた。【０００３】  類似したものにすり鉢があるが、これは粒度や収量を問題にするものではない。
【考案の開示】
【考案が解決しようとする課題】
【０００４】  乳鉢で試料の粉砕をするために摺り潰すことにおいて、長い所要時間と労力を必要としていた。【０００５】  したがって、本考案は、乳鉢の内周面に微細な縦溝を付けることにより、擂り潰しに要する時間を短縮すると共に肉体的労力の軽減を図ることを目的とする。
【課題を解決するための手段】
【０００６】  この目的を達成するため、本考案による乳鉢は、内周面全体またはその一部に深さ０．２ミリ以下、幅０．１ミリ以下の微細な凹凸の溝を縦に付けたことを特徴とする。
【考案の効果】
【０００７】  本考案によれば、乳鉢の内周面全体またはその一部に深さ０．２ミリ以下、幅０．１ミリ以下の微細な凹凸の溝が縦に付いているため、乳棒を用いた擂り潰し作業が容易になり、擂り潰しに要する時間が短縮すると共に肉体的労力が軽減する。【０００８】  したがって、理化学分野での試料の混合や粉砕において、試料の飛散を防ぎながら効率良く作業を行うことができる。【０００９】  また、本考案は、粘液性を発する試料の粉砕にも非常に効率的である。
【考案を実施するための最良の形態】
【００１０】  図１は、本考案の一実施形態による乳鉢の溝を測定したグラフであり、この実施形態では、乳鉢の内周面に深さ  ミリ程度、幅  ミリ程度の微細な凹凸の溝が縦に付けられている。【００１１】  この溝付き乳鉢を用いて、初期粒径が平均２．５μｍであるホルミウム−バリウム−銅酸化物（組成式Ｈｏ２−Ｂａ−ＣｕＯ５）を自動擂り潰し機により５分間、１０分間、３０分間及び６０分間粉砕処理を行った後の平均粒径を測定したところ、５分後及び１０分後にはそれぞれ平均粒径が１．９μｍ及び１．６μｍとなり、３０分後及び６０分後の平均粒径も１．６μｍで変化がなかった。【００１２】  また、自動擂り潰し機に代えて手動で同様に粉砕処理を行った場合は、５分後の平均粒径が０．９μｍとなった。【００１３】  比較として、従来の溝なし乳鉢を用いて手動及び自動で同様に粉砕処理を行ったところ、１０分間の自動粉砕処理によっても平均粒径が１．９μｍにしかならず、手動によっても平均粒径が１．５μｍび１．６μｍにしかならなかった。【００１４】  これらの結果は図２に示す通りであり、本考案の溝付き乳鉢によると擂り潰しに要する時間を大幅に短縮することができ、肉体的労力の軽減にも効果的であることが実証された。
【図面の簡単な説明】
【００１５】
【図１】本考案の一実施形態の乳鉢の内周面の溝を測定したグラフである。
【図２】当該乳鉢の手動及び機械による粉砕結果を時間と留径分布で示すグラフである。
【図１】
0003114998.tif 000003
【図２】
0003114998.tif 000004
(57)【要約】【課題】本考案は、塩もみしたり、茹でてカットした野菜片の取りまとめを容易にし、簡単に水切りができる絞り袋により調理時間を短縮する。【解決手段】本考案は、野菜片を取りまとめて入れやすくする為開口部を広くしたり、絞りやすくする為に形状をすり鉢状にし、茶巾絞りの要領で容易に水切りができるようにした。【選択図】図１
0003115000.tif 000002
【実用新案登録請求の範囲】
【請求項１】
植物繊維でできた布を裁ち、すり鉢状に縫製された野菜片絞り袋
【考案の詳細な説明】
【技術分野】
【０００１】  本考案は、調理用具に関するものである。
【背景技術】
【０００２】  野菜片を絞る場合、従来は直接手で絞る、四角い布袋に入れて絞る、あるいは調理用ペーパーを用いるといった方法がとられていた。
【考案の開示】
【考案が解決しようとする課題】
【０００３】  塩でもんだ野菜片や茹でてカットした野菜片を容易に取りまとめて入れ、簡単に絞ることのできる絞り袋により、調理にかかる時間を短縮すること。
【課題を解決するための手段】
【０００４】  野菜片を取りまとめて入れやすくする為、開口部を広くしたり、絞りやすくする為、形状をすり鉢状にし、茶巾絞りの要領で容易に水切りが出来るようにした。
【考案の結果】
【０００５】  １）、開口部が広い為、野菜片が入れやすく、絞った後も簡単に取り出すことが出来る。
２）、ワッフル織りの綿生地で縫製している為、手の圧力が強くかかっても簡単には傷まないので繰り返し使うことができ、経済的である。
３）、使った後の手入れが簡単で、水洗いした後ふきんかけに吊るしておくことができ衛生的である。
【考案の実施する為の最良の形態】
【０００６】
【実施例】
【０００７】  開口部から外へ野菜片が押し出されないよう口の部分を閉じるように握り、手の圧力を加え水気をとる。
【図面の簡単な説明】
【０００８】
【図１】本考案の斜視図
【図２】本考案の裁断図
【符号の説明】
【０００９】１  縁どり
２  吊り下げひも
３  縫い代
【図１】
0003115000.tif 000003
【図２】
0003115000.tif 000004
(57)【要約】      （修正有）【課題】傾斜の異なる踏面を簡単かつ迅速に変更でき、アキレス腱への長時間負担を防止し、行動範囲を気にせずに気軽に履くことができる履物を提供する。【解決手段】本考案の履物は、上面が柔軟性を有する前方中空部４ａ及び後方中空部４ｂと、これらの中空部内に封入される流体４ｃと、両中空部内の流体の移動を阻止したり許容したりする弁体４ｄから構成される流体踏面を備える。【選択図】図１
0003114940.tif 000002
【実用新案登録請求の範囲】
【請求項１】
ほぼ水平の踏面を有する履物本体と、流体中敷きから成り、該流体中敷きが、柔軟性を有する前方中空部及び後方中空部と、これらの中空部内に封入される流体と、両中空部内の流体の移動を阻止したり許容したりする弁体から構成されることを特徴とする履物。
【請求項２】
上面が柔軟性を有する前方中空部及び後方中空部と、これらの中空部内に封入される流体と、両中空部内の流体の移動を阻止したり許容したりする弁体から構成される流体踏面を備えることを特徴とする履物。
【考案の詳細な説明】
【技術分野】
【０００１】
本考案は、履物、さらに詳細には、傾斜中敷きを敷設可能な或いは敷設した、靴やサンダル等の履物に関する。
【背景技術】
【０００２】
従来のこの種の履物としては、踵部を高くした中敷き（例えば、特許文献１、２参照）、また、水平にしたり傾斜させる中敷き（例えば、特許文献３参照）を敷設することにより、背丈を高く装ったり、リハビリ用に使用したり、履き替えに便利で、靴の踵を踏まずに歩行できるように工夫したものがあった。
【０００３】
つま先部分に比べて踵部分が低くなるように傾斜している踏面を有する履物は、アキレス腱などのストレッチ効果があり、また、図３に示すように、臀部、腹部、ふくらはぎ部などの脂肪を燃焼させて、この種の履物が健康サンダル、健康シューズとして知られている。
しかし、上記従来の履物は、歩行の度にアキレス腱を普段より強く引っ張るので、アキレス腱への負担が大きく、長時間使用するのは不可能で、１日２〜３時間に使用が制限されているため、行動範囲が限られ、遠距離の使用に不便である等の問題があった。
【特許文献１】実用新案登録第３０６８７８５号公報
【特許文献２】実用新案登録第３０６８６５１号公報
【特許文献３】特開２００４−０４９８３３
【考案の開示】
【考案が解決しようとする課題】
【０００４】
本考案は、傾斜の異なる踏面を簡単かつ迅速に変更でき、アキレス腱への長時間負担を防止し、行動範囲を気にせずに気軽に履くことができる履物を提供することにある。
【課題を解決するための手段】
【０００５】
本考案の履物は、ほぼ水平の踏面を有する履物本体と、流体中敷きから成り、該流体中敷きが、柔軟性を有する前方中空部及び後方中空部と、これらの中空部内に封入される流体と、両中空部内の流体の移動を阻止したり許容したりする弁体から構成されることを特徴とする。また、上面が柔軟性を有する前方中空部及び後方中空部と、これらの中空部内に封入される流体と、両中空部内の流体の移動を阻止したり許容したりする弁体から構成される流体踏面を備えることを特徴とする。
【考案の効果】
【０００６】
本考案の履物は、傾斜の異なる踏面を簡単かつ迅速に変更でき、アキレス腱への長時間負担を防止し、行動範囲を気にせずに気軽に履くことができるという利点がある。
【考案を実施するための最良の形態】
【０００７】
以下、本考案の実施例について図面を参照しながら説明する。
【実施例１】
【０００８】
図１は本考案の第１の実施例を示すもので、図１（Ａ）に示すように、靴本体１の踏面は、ほぼ水平になっている。４は流体中敷きであって、主として柔軟性を有する前方中空部４ａ及び後方中空部４ｂと、これらの中空部４ａ、４ｂ内に封入される流体４ｃと、両中空部４ａ、４ｂ内の流体４ｃの移動を阻止したり許容したりする弁体４ｄから構成されている。
【０００９】
上記流体４ｃは、水やオイルなどの液体でも、空気などの気体でも、いずれでもよいが、非圧縮性の流体が好ましい。また、弁体４ｄとしては、両中空部４ａ、４ｂ内の流体４ｃの移動を阻止したり許容する機能を有し、簡単に切換操作ができ、また、足を乗せたときに抵抗感がない構造のものであれば、いずれの構造の弁でもよい。
【００１０】
本実施例の流体中敷き４は、以上のように構成されているので、通常は、図１（Ａ）に示すように、均一な厚みの状態で使用する。次に、弁体４ｄを操作して、流体４ｃの流通を許容し、後方中空部４ｂの流体４ｄを矢印イの前方中空部４ａに移動させてから、弁体４ｄを閉止すると、前方中空部４ａの厚みが大きくなり、逆に、後方中空部４ｂの厚みが小さくなって、つま先が高くなった状態で履くことができる。
【００１１】
一方、図１（Ｃ）に示すように、弁体４ｄを操作して、流体４ｃの流通を許容し、前方中空部４ａの流体４ｄを矢印ロの後方中空部４ｂに移動させてから、弁体４ｄを閉止すると、後方中空部４ｂの厚みが大きくなり、逆に、前方中空部４ａの厚みが小さくなって、踵が高くなった状態で履くことができる。
【実施例２】
【００１２】
図２は、本考案の第２の実施例を示すもので、上記第１実施例の流体中敷４に代えて、靴本体１の踏面部に、流体踏面５を一体的に構成する。該流体踏面５は、上面が柔軟性を有する前方中空部５ａ及び後方中空部５ｂと、これらの中空部５ａ、５ｂ内に封入される流体５ｃと、両中空部５ａ、５ｂ内の流体の移動を阻止したり許容したりする弁体５ｄから成る。
【００１３】
本考案の履物には、各種の靴、各種のサンダル、各種の下駄などが含まれる。
【図面の簡単な説明】
【００１４】
【図１】本考案の履物の第１の実施例を示す構成説明図（Ａ）、作用説明図（Ｂ）（Ｃ）である。
【図２】本考案の履物の第２の実施例を示す構成説明図である。用説明図（Ｂ）（Ｃ）である。
【図３】つま先上がり状態で歩行できる従来の履物による臀部、腹部、ふくらはぎ部などの脂肪燃焼の説明図である。
【符号の説明】
【００１５】
１    靴本体
４    流体中敷き
４ａ  前方中空部
４ｂ  後方中空部
４ｃ  流体
４ｄ  弁体
５    流体踏面
５ａ  前方中空部
５ｂ  後方中空部
５ｃ  流体
５ｄ  弁体
【図１】
0003114940.tif 000003
【図２】
0003114940.tif 000004
【図３】
0003114940.tif 000005
(57)【要約】【課題】好ましいマッサージ効果、使用感等を備えた自動車座席用マッサージ器を提供する。【解決手段】相互に独立した多数の柔軟な収納室３を連設してなる支持体１と、該支持体１における各収納室３内に転動自在に配設した転動体１１と、該支持体１を自動車の座席１３に取り付けるための取付手段１５とよりなることを特徴とする自動車座席用マッサージ器。支持体１は、例えば、柔軟な布等のシート５の表面に柔軟なネット、布等のカバー材７を、キルティングの如く、格子状に逢着することにより、相互に独立した多数の柔軟な収納室３を形成してなるものである。【選択図】図１
0003114933.tif 000002
【実用新案登録請求の範囲】
【請求項１】
相互に独立した多数の柔軟な収納室を連設してなる支持体と、該支持体における各収納室内に転動自在に配設した転動体と、該支持体を自動車の座席に取り付けるための取付手段とよりなることを特徴とする自動車座席用マッサージ器。
【考案の詳細な説明】
【技術分野】
【０００１】
本考案は、自動車座席用マッサージ器に関するものであり、更に詳しくは、自動車の運転者ないし同乗者に生ずる疲れ、ストレス、眠気等を自動車内の座席に座った状態のまま解消するようにした自動車座席用マッサージ器に係るものである。
【背景技術】
【０００２】
実用新案登録第３０２４３３５号公報は、自動車の座席に取り付ける柔軟なシートの表面に多数のマッサージ用突起体を配設固定してなる自動車座席用マッサージ器（以下「従来の自動車座席用マッサージ器」という。）を開示している。
【特許文献１】実用新案登録第３０２４３３５号公報
【考案の開示】
【考案が解決しようとする課題】
【０００３】
しかるに、上記従来の自動車座席用マッサージ器においては、マッサージ用突起体はシートの表面に固定されているため、マッサージ効果、使用感等の面で必ずしも十分なものではない。
【０００４】
本考案は、上記従来の自動車座席用マッサージ器における上述の如き問題を解決し、好ましいマッサージ効果、使用感等を備えた自動車座席用マッサージ器を提供しようとしてなされたものである。
【課題を解決するための手段】
【０００５】
上記課題を解決するために、本考案は、下記の自動車座席用マッサージ器を提供する。
【０００６】
相互に独立した多数の柔軟な収納室を連設してなる支持体と、該支持体における各収納室内に転動自在に配設した転動体と、該支持体を自動車の座席に取り付けるための取付手段とよりなることを特徴とする自動車座席用マッサージ器。
【０００７】
即ち、本考案の自動車座席用マッサージ器は、相互に独立した多数の柔軟な収納室を連設してなる支持体における各収納室内に転動体を転動自在に配設し、該支持体には自動車の座席に対する取付手段を備えさせたことを特徴とするものである。
【０００８】
［考案の作用］
本考案による自動車座席用マッサージ器を使用する際には、その支持体を取付手段により自動車の座席に取り付ける。
【０００９】
自動車の運転者又は同乗者が自動車座席用マッサージ器を取り付けた座席に着座したときには、該着座者の背部が支持体の各収納室を押圧する。しかるときは、自動車の振動、着座者の動き等により、各収納室内の転動体は当該各収納室内において転動する。即ち、各転動体は着座者の背部を押圧しつつ転動する。
【考案の効果】
【００１０】
本考案によれば、自動車の運転者又は同乗者が自動車座席用マッサージ器を取り付けた座席に着座したときには、自動車の振動、着座者の動き等により、各収納室内の転動体は着座者の背部を押圧しつつ当該各収納室内において転動するため、着座者に対する好ましいマッサージ効果が発揮され、着座者に心地よい使用感を与える。
【考案を実施するための最良の形態】
【００１１】
符号１に示すものは支持体である。支持体１は、相互に独立した多数の柔軟な収納室３、３・・・を連設してなるものである。
【００１２】
図示の事例における支持体１は、柔軟な布等のシート５の表面に柔軟なネット、布等のカバー材７を、例えばキルティングの如く、格子状に逢着することにより、相互に独立した多数の柔軟な収納室３、３・・・を形成してなるものである。符号９に示すものは、カバー材７をシート５に逢着している縫着線である。
【００１３】
即ち、図示の事例における支持体１の各収納室３は、シート５とカバー材７とにより形成された長方形状ないし正方形状の相互に独立した部屋である。
【００１４】
支持体１における各収納室３内には転動体１１を転動自在に配設する。
【００１５】
転動体１１は、例えば図４に示す卵形、図５に示す球形等とするが、転動体１１の形状はこれらのものには限定されない。
【００１６】
転動体１１は、例えば硬式のテニスボール程度の硬さを備えたものが望ましい。
【００１７】
更に、支持体１には自動車の座席１３に対する取付手段１５を備えさせる。
【００１８】
図示の事例においては、支持体１は取付手段１５としてヘッドレスト１７の支柱１９を挿通させる挿通孔を備えている。この事例においては、取付手段１５たる挿通孔にヘッドレスト１７の支柱１９を挿通させることにより、支持体１を座席１３の背もたれ２１に取り付けている。
【００１９】
なお、取付手段１１は、支持体１を自動車の座席１３に取り付け得るものであれば、如何なるものでもよく、図示の事例のものには限定されない。
【図面の簡単な説明】
【００２０】
【図１】本考案による自動車座席用マッサージ器を自動車の座席に取り付けた状態を示す側面図である。
【図２】同上自動車座席用マッサージ器の断面図である。
【図３】同上自動車座席用マッサージ器の正面図である。
【図４】転動体の一例を示す正面図である。
【図５】転動体の別の一例を示す正面図である。
【符号の説明】
【００２１】
１  支持体
３  収納室
５  シート
７  カバー材
９  縫着線
１１  転動体
１３  座席
１５  取付手段
１７  ヘッドレスト
１９  支柱
２１  背もたれ
【図１】
0003114933.tif 000003
【図２】
0003114933.tif 000004
【図３】
0003114933.tif 000005
【図４】
0003114933.tif 000006
【図５】
0003114933.tif 000007